(57)【要約】      （修正有）【課題】様々な適用分野における使用のために、携帯電子機器について、液体が入った保護ケーシングを収納し持ち運ぶことが出来るようにするケーシングアタッチメント及び携帯電子機器ユニットを提供する。【解決手段】携帯電子機器のためのケーシングアタッチメント１に関し、アタッチメント１を携帯電子機器の枠１２に取り付ける取り付け手段と、液体を噴霧するための噴霧手段５および液体容器７を有する噴霧ユニット１９と、を備える。【選択図】図３
0003193905.tif 000002
【実用新案登録請求の範囲】
【請求項１】
携帯電子機器（１０）のためのケーシングアタッチメント（１）であって、
前記ケーシングアタッチメント（１）を前記携帯電子機器（１０）の枠（１２）に取り付けるための取付手段と、
液体を噴霧するための噴霧手段（５）および液体容器（７）を有する噴霧ユニット（１９）と、を備えるケーシングアタッチメント。
【請求項２】
請求項１において、前記噴霧ユニット（１９）を着脱可能に収容するための受入手段（９）を備えるケーシングアタッチメント（１）。
【請求項３】
請求項１または２のいずれかにおいて、前記取付手段は前記携帯電子機器（１０）の前記枠（１２）の少なくとも一部の形状に一致する弾性の保持要素（３）を有する着脱容易なスナップ式の留め具であるケーシングアタッチメント（１）。
【請求項４】
請求項３において、前記弾性保持要素（３）の数および配置は前記携帯電子機器（１０）の枠の角（１３）の数および配置と対応しており、ここにおいて、前記枠の角（１３）は前記弾性保持要素（３）により少なくとも一部が覆われ得るケーシングアタッチメント（１）。
【請求項５】
請求項１〜４のいずれか１項において、前記携帯電子機器（１０）は携帯電話であるケーシングアタッチメント（１）。
【請求項６】
請求項１〜５のいずれか１項において、前記ケーシングアタッチメント（１）が前記携帯電子機器（１０）に取り付けられている状態で、前記携帯電子機器（１）の作動を許容する少なくとも１つの構造要素（１５、２０）を備えるケーシングアタッチメント（１）。
【請求項７】
請求項５または６において、構造要素（１５）は開口であり、前記開口の位置は、前記携帯電話に取り付けられた状態において、前記携帯電話のレンズ（１７）の位置に対応するケーシングアタッチメント（１）。
【請求項８】
請求項１〜７のいずれか１項において、前記噴霧手段（５）および前記液体容器（７）は別々の部品であり、互いに取り外し可能に連結されているケーシングアタッチメント（１）。
【請求項９】
請求項１〜８のいずれか１項において、ケーシングアタッチメント（１）を備える携帯電子機器（１０）。
【考案の詳細な説明】
【技術分野】
【０００１】
本考案は、様々な適用分野における使用のために、携帯電子機器について、液体が入った保護ケーシングを収納し持ち運ぶことができるようにすることに関する。本考案は、携帯電話、携帯音楽プレーヤーおよび携帯ビデオプレーヤーなどの携帯電子機器に関する。
【背景技術】
【０００２】
比較的多くの場合、人々は生活の様々な場面において彼らがより良い心地良さを感じるために大いに役立ち得る少量の様々な液体または香料を欠いている場面に遭遇する。
このことは、香水、デオドラント、殺菌剤（すなわち、手の除菌用ローション）、虫よけスプレー、髭剃り後につけるローション、口臭または口腔乾燥治療薬、ヴィセージリフレッシュウォーターまたはＯＣスプレー（護身用の催涙スプレーとして知られている）などの様々な種類の液体物質に関する。
【０００３】
多くの場合、人々はクラブやダンス場にいる時もしくはデートまたはアウトドア活動の際にバッグやクラッチバッグを持ち歩きたくない。
通常、彼らのポケットの中には鍵、財布および携帯電話か他の携帯機器しか入っていない。したがって、人々は“軽快さ”と習慣的に用いる物（心地よさを生み出してくれる物）との間で妥協しなければならない。
【０００４】
本考案の目的は、個人が種々のアイテムを持ち運ぶことを可能にする構成を作り出すことであり、可能な限りシンプルな最少の必要要素の態様で、機能性が向上し、かつ、使用が単純化されたアイテムが携行されることを許容する。
【考案の概要】
【０００５】
本考案によれば、前記目的は携帯電子機器用のケーシングアタッチメントにより達成され、前記ケーシングアタッチメントは携帯電子機器の枠に取り付けられる取付手段と、液体を噴霧するための噴霧手段および液体容器とを有する噴霧ユニットと、を備える。
これにより、日常生活において常に持ち歩く携帯電話や他の電子機器等と同じように、いつでもどこでも必要な液体を手元に持つことが可能となる。
対象となる装置は様々な形状であり、かつ、様々な目的の物である。たとえば、ＭＰ３プレーヤー、携帯電話、スマートフォン、ネットブック、タブレットコンピュータなどであり、最近では、これらは実際に全ての年代の男女にとっていつでもどこでも利用可能となっている。
【０００６】
現代の携帯電子機器の普及により、携帯電子機器は日常のケアに必要な物質をいつでも携行することができる手段となった。携帯電子機器を携帯する者は最小限のアイテムを持ち運ばなければならない。なぜならば、上述した心地良さ又は健康的に重要な液体は例えば携帯電話、スマートフォン、ネットブック、ＭＰ３プレーヤーおよびその他の携帯機器に組み込まれているからである。
【０００７】
本考案による前記液体容器は使い捨て用のユニット、または液体を収容している詰め替え可能なユニットとして使用される。
【０００８】
“液体”とは、通常、種々の密度を有する液体を意味する。携帯電話の場合、再装填用ユニットがバッテリーの上方で機器の背面において保持されるカートリッジの形状で提供され得る。
すなわち、ディスプレーと反対側の側面において保持され、前記ユニットと一体の噴霧手段により中身が噴霧される。前記再装填用ユニットのチャージャは“ドッキング”ボトルの形状、または容器の形状で提供され、前記容器の場合、再装填のために手動でスロット内へ液体容器をスライドまたは押し込むことで挿入され得る。
ショッピングセンターは、液体容器に異なる種類の液体が再充填される自動ドケッティングステーションの使用を提供してもよい。
【０００９】
本考案の好ましい実施形態は、着脱自在に前記噴霧ユニットを収容する受入手段を備える前記ケーシングアタッチメントを提供する。
これにより、前記液体容器内の液体が消費された後に前記液体容器および前記噴霧手段を新たな液体容器および噴霧手段に取り換えることが可能となる。
【００１０】
本考案の更に好ましい実施形態は、前記ケーシングアタッチメントの取付手段が弾性保持要素を有する着脱容易なスナップ式の留め具であり、前記弾性保持要素は前記携帯電子機器の前記枠の少なくとも一部と形状が一致し、これにより、前記携帯電子機器の前記枠に対して前記ケーシングアタッチメントの着脱可能な取り付けが可能となる。
【００１１】
前記弾性保持要素の数および配置が前記携帯電子機器の前記枠の角の数および配置に対応しており、前記枠の角が前記弾性保持要素により少なくとも一部が覆われ得る場合、特に有利である。
これにより、極めてシンプルでコンパクトなケーシングアタッチメントの構造が可能となり、前記アタッチメントは上述の着脱容易なスナップ式の留め具により取り付けの信頼度が高い。
本形態の更に有利な点は、携帯電子機器の枠に関して前記ケーシングアタッチメントは更なる追加の手段を必要とすることなく既存の枠に使用できることである。
【００１２】
前記ケーシングアタッチメントが携帯電話に用いられる場合、本考案は特に有利である。なぜならば、携帯電話はより頻繁に携行されるアイテムだからである。
【００１３】
本考案のケーシングアタッチメントについて、前記ケーシングアタッチメントが前記携帯電子機器に取り付けられた際に前記携帯電子機器の作動を許容する少なくとも１つの構造要素を備えることが便利である。
携帯電話の場合、前記構造要素は開口を形成し、前記開口の位置は、前記携帯電話に取り付けられた状態で、前記携帯電話に組み込まれているレンズの位置と対応している。
更に、前記ケーシングアタッチメントの開口または切欠きは前記携帯電話の制御要素への自由なアクセスを可能にする。
【００１４】
好ましくは、前記噴霧手段および液体容器は別々のパーツであり、互いに取り外し可能に連結される。
【００１５】
本考案の別の目的は、ケーシングアタッチメント及び携帯電子機器を備える携帯電子機器ユニットであり、その形態は上述のとおりである。
【図面の簡単な説明】
【００１６】
本考案の実施例は添付の図面により詳細に説明される。
【図１】図１は噴霧手段および液体容器を備える本考案にしたがったケーシングアタッチメントの分解斜視図である。
【図２】図２は携帯電話および前記ケーシングアタッチメントの分解斜視図である。
【図３】図３は図２の携帯電話がケーシングアタッチメントに取り付けられた後方斜視図である。
【図４】図４は図２の携帯電話がケーシングアタッチメントに取り付けられた前方斜視図である。
【実施例】
【００１７】
図１は図の上側において平面長方形のケーシングアタッチメント１を示しており、前記ケーシングアタッチメント１は略長方形で丸いコーナーを有するベースプレート２を備え、ここにおいて、前記ベースプレート２の携帯電話に対面する裏面において、前記ベースプレート２に略直交する方向に延びる保持要素３が前記４つの丸コーナーにそれぞれ設けられている。
各保持要素３は、前記ベースプレート２に対し略直交に延びるウエブ部４０と前記ベースプレート２と平行に延びる自由端４２とを備え、前記ベースプレート２に平行な前記ウエブ部４０の断面形状は前記ベースプレート２のコーナーの丸みの形状に概ね対応しており、前記自由端４２から高さの小さな保持突起部４が前記ベースプレート２に平行して内側に延びている。
【００１８】
前記ベースプレート２の前面には受入手段９が配置され、該受入手段９は長方形の受入溝２２と２つの縦方向の側壁２２，２６とを備え、前記側壁は前記ベースプレート２の側縁２８，３０と平行に延びており、かつ、前記ベースプレート２に対し直交して延びている。
前記受入溝２２は前記ベースプレート２の下縁３４において開いており、かつ、前記ベースプレート２の前記側縁２８，３０に直交して延びる端壁３２によって上部が定義されている。前記受入溝２２の底部は前記ベースプレート２によって形成されている。
【００１９】
図１の前記ベースプレート２の左上のコーナーにおいて、液滴形状の開口１５が設けられている。該開口の位置は図３に示される前記携帯電話１０のレンズ１７の位置に対応している。
【００２０】
図１の下側において、噴霧手段５が取り付けられた液体容器７を示す。
ここにおいて、前記液体容器７および前記噴霧手段５は実質的に立方体で高さが小さい噴霧ユニット１９を形成し、前記噴霧ユニット１９は受入ユニット９の前記受入溝２２に下方から着脱可能に挿入される。
前記長方形の噴霧ユニット１９の平行な側縁は前記受入手段９の側壁２４，２６とフィットするように形成される。図３に示すように、前記ユニット１９は前記受入手段９にしっかりとフィットして保持される。
前記噴霧手段５は噴霧ノズル３６を備え、前記噴霧手段５の下縁３８が前記ベースプレート２の前記下縁３４と同一平面上となるように配置される。
【００２１】
図２の左側は前記携帯電話１０に対面するケーシングアタッチメント１の背面の斜視図である。
前記保持要素３は、前記ケーシングアタッチメント１が前記携帯電話１０に嵌められる際に前記携帯電話１０のコーナー１３の周りにおいて外側に曲がるように弾性的に形成されている。
この結果、前記ベースプレート２の電話側の表面が前記携帯電話１０のアタッチメント側の表面と接触した際にこれら２つの部品の間でカチッと音を立てる締結がなされる。
これにより、図４に示すように、ケーシングアタッチメントと反対の側において前記保持突起部４が当接することで、前記携帯電話１０に対する前記ケーシングアタッチメント１の確実な保持がなされる。
前記弾性の保持要素３は前記携帯電話１０の丸エッジ１３と同じ丸い形状を有している。これにより、前記保持要素３の剛性が大きくなり、また、携帯電話１０に取り付けたケースアタッチメントの形状がコンパクトとなる。
【００２２】
図３はケーシングアタッチメント１の前面を示しており、前記ケーシングアタッチメント１は電子機器１０に取り付けられており、かつ、前記液体容器７と噴霧手段５とを備えるユニット１９は前記受入溝２２に挿入されている状態である。
前記ベースプレート２は上側領域において携帯用電子機器１０のレンズ１７に対応する開口１５を備えている。
更に、前記ケーシングアタッチメント１の構造要素は携帯電子機器１０の制御要素へアクセスすることを許容する。図３に示すように、前記ケーシングアタッチメント１の上縁における凹部２０は前記携帯電子機器１０の上側のボタンおよび連結部へのアクセスを許容する。
また、開口および凹部の形状の構造要素は少なくとも部分的に弾性部材（たとえばゴム）で塞がれてもよく、これは制御要素（たとえばボタン）の機能を妨げない。
【００２３】
図４は前記携帯電子機器１０の側面から前記携帯電子機器１０に取り付けられているケーシングアタッチメント１を示している。
コンパクトな構造および前記カチッと音をたてる締結により前記携帯電子機器１０の全ての制御要素はアクセス可能な状態が維持されている。
【００２４】
本考案に従った装置は以下のように機能する。図３に示す組立状態において、前記ユニット１９における前記噴霧手段５がユーザーの指で押されることで前記液体容器７内の液体が前記噴霧手段５により噴霧化され、直ちに前記液体が前記ノズル３６から放出される。
前記噴霧手段５を繰り返し使用することにより前記液体容器７内の液体が消費されると、前記ユニット１９を下方に向かって移動させて前記受入手段９から取り外し、新たなユニット１９（図示せず）を取り付けるか、または、該取り外したユニット１９の液体容器７に液体を詰め替えて再度取り付ける。
【産業上の利用可能性】
【００２５】
本考案は液体容器および噴霧手段を備えた携帯電子機器用のケーシングアタッチメントや携帯電子機器ユニットに利用できる。
【図１】
0003193905.tif 000003
【図２】
0003193905.tif 000004
【図３】
0003193905.tif 000005
【図４】
0003193905.tif 000006
【手続補正書】
【提出日】平成26年2月13日(2014.2.13)
【手続補正１】
【補正対象書類名】実用新案登録請求の範囲
【補正対象項目名】全文
【補正方法】変更
【補正の内容】
【実用新案登録請求の範囲】
【請求項１】
携帯電子機器（１０）のためのケーシングアタッチメント（１）であって、
液体を噴霧するための噴霧手段（５）および液体容器（７）を有する噴霧ユニット（１９）と、
前記ケーシングアタッチメント（１）を前記携帯電子機器（１０）の枠（１２）に取り付けるための取付手段と前記噴霧ユニット（１９）を着脱可能に収容するための受入手段（９）とを有するベースプレート（２）と、を備え、
ここにおいて、前記ベースプレート（２）の背面は前記携帯電子機器（１０）に対面しており、
前記取付手段は弾性の保持要素（３）を有する着脱容易なスナップ式の留め具であり、前記携帯電子機器（１０）の前記枠（１２）の少なくとも一部の形状と一致し、
ここにおいて、前記受入手段（９）は前記ベースプレート（２）の前面に位置し、かつ、２つの縦方向の側壁（２４，２６）を有する長方形の受入溝（２２）を備え、
ここにおいて、前記噴霧ユニット（１９）は長方形の形状であり、かつ、前記噴霧ユニット（１９）の平行な側縁は前記受入手段（９）の側壁（２４，２６）にフィットする形状であり、前記噴霧ユニット（１９）は前記受入手段（９）においてしっかりとフィットしているケーシングアタッチメント。
【請求項２】
請求項１において、前記弾性保持要素（３）の数および配置は前記携帯電子機器（１０）の枠の角（１３）の数および配置と対応しており、ここにおいて、前記枠の角（１３）は前記弾性保持要素（３）により少なくとも一部が覆われ得るケーシングアタッチメント（１）。
【請求項３】
請求項１または２において、前記携帯電子機器（１０）は携帯電話であるケーシングアタッチメント（１）。
【請求項４】
請求項１〜３のいずれか１項において、前記ケーシングアタッチメント（１）が前記携帯電子機器（１０）に取り付けられている際に前記携帯電子機器（１）の作動を許容する少なくとも１つの構造要素（１５、２０）を備えるケーシングアタッチメント（１）。
【請求項５】
請求項３または４において、構造要素（１５）は開口であり、前記開口の位置は、前記携帯電話に取り付けられた状態において、前記携帯電話のレンズ（１７）の位置に対応するケーシングアタッチメント（１）。
【請求項６】
請求項１〜５のいずれか１項において、前記噴霧手段（５）および前記液体容器（７）は別々の部品であり、互いに取り外し可能に連結されているケーシングアタッチメント（１）。
【請求項７】
請求項１〜６のいずれか１項において、ケーシングアタッチメント（１）を備える携帯電子機器（１０）。

【手続補正書】
【提出日】平成26年2月13日(2014.2.13)
【手続補正１】
【補正対象書類名】実用新案登録請求の範囲
【補正対象項目名】全文
【補正方法】変更
【補正の内容】
【実用新案登録請求の範囲】
【請求項１】
ケーシングアタッチメント（１）を携帯電子機器（１０）の枠（１２）に取り付けるための取付手段と、
液体を噴霧するための噴霧手段（５）および液体容器（７）を有する噴霧ユニット（１９）と、
前記噴霧ユニット（１９）を着脱可能に収容するための受入手段（９）と、を備えるケーシングアタッチメント（１）。
【請求項２】
前記取付手段は前記携帯電子機器（１０）の前記枠（１２）の少なくとも一部の形状に一致する弾性保持要素（３）を有する着脱容易なスナップ式の留め具である請求項１に記載のケーシングアタッチメント（１）。
【請求項３】
前記弾性保持要素（３）は前記携帯電子機器（１０）の枠の角（１３）の少なくとも一部を覆うことが可能で、前記弾性保持要素（３）の数および配置は前記携帯電子機器（１０）の枠の角（１３）の数および配置と対応している請求項２に記載のケーシングアタッチメント（１）。
【請求項４】
前記携帯電子機器（１０）は携帯電話である請求項１〜３のいずれか１項に記載のケーシングアタッチメント（１）。
【請求項５】
前記ケーシングアタッチメント（１）が前記携帯電子機器（１０）に取り付けられている状態で、前記携帯電子機器（１）の作動を許容する少なくとも１つの構造要素（１５、２０）を備える請求項１〜４のいずれか１項に記載のケーシングアタッチメント（１）。
【請求項６】
構造要素（１５）は、前記ケーシングアタッチメント（１）が前記携帯電話に取り付けられた状態において、前記携帯電話のレンズ（１７）の位置に対応する位置に設けられた開口である請求項５に記載のケーシングアタッチメント（１）。
【請求項７】
前記噴霧手段（５）および前記液体容器（７）は別々の部品であり、互いに取り外し可能に連結されている、請求項１〜６のいずれか１項に記載のケーシングアタッチメント（１）。
【請求項８】
請求項１〜７のいずれか１項に記載の前記ケーシングアタッチメント（１）及び前記携帯電子機器（１０）を備える携帯電子機器ユニット。